(57)【要約】【課題】簡単な構成によりタッピング加工中における作業異常を検出できるタッピング加工装置を提供する。【解決手段】タッピング加工装置１は、回転駆動部１２による正回転により前進し逆回転により後退するスピンドル軸２０に、同軸上に伸長及び収縮可能にタップホルダ４０が連結されており、付勢手段２４によって伸長されている。このタップホルダ４０に突出部５２と凹陥部５３とを回転方向に沿って交互に形成する検出子５１を一体に回転可能に取り付け、タップホルダ４０が伸長しているときにタップホルダ４０の径方向外側位置でタップホルダ４０の回転により突出部５２と接近及び離間を繰り返す位置に検出センサ５４を設ける。そして、検出センサ５４の出力が所定間隔ごとにオンとオフを繰り返すときは作業正常と判断し、オンとオフのいずれかに保たれているとき、或いはオフに保たれているときは作業異常と判断する。【選択図】  図１
2006315094.tif 000002
【特許請求の範囲】
【請求項１】
ベース部と、
該ベース部に回転自在に支持された回転軸と、
該回転軸を正回転及び逆回転させる回転駆動部と、
前記回転軸と一体に回転可能でかつ前記回転軸の軸方向に移動自在に連結されたスピンドル軸と、
該スピンドル軸を前記ベース部に回転可能に支持すると共に正回転及び逆回転に応じた送りピッチで前進及び後退させる送り移動部と、
前記スピンドル軸と一体に回転しかつ前記スピンドル軸に対して軸方向に移動自在に連結されて前記スピンドル軸の前端部よりも前進側位置で軸方向に伸長及び収縮可能に設けられ同軸上に前記送り移動部と同一の送りピッチを有するタップを保持可能なタップホルダと、
前記スピンドル軸と前記タップホルダとの間に介在されて前記タップホルダを伸長する方向に付勢する付勢手段と、
前記タップホルダに設けられて、前記タップホルダの径方向外側に向かって突出する突出部及び前記タップホルダの径方向内側に向かって凹陥する凹陥部を前記タップホルダの回転方向に沿って交互に形成する検出子と、
前記ベース部に前記スピンドル軸と同期して前進及び後退可能に支持され、前記タップホルダが伸長した状態で前記検出子よりも前記タップホルダの径方向外側位置で前記検出子に対向する位置に配置され、前記突出部との接近によりオンを出力し前記突出部との離間によりオフを出力する検出センサと、
前記検出センサの出力に基づいて前記回転駆動部を制御する制御手段とを有することを特徴とするタッピング加工装置。
【請求項２】
前記制御手段は、
前記回転駆動部の正回転駆動にて前記検出センサから出力されるオンとオフのオンオフ間隔を計測し、
該計測したオンオフ間隔と予め設定されている前進基準間隔とを比較し、
前記オンオフ間隔が前記前進基準間隔を超えることにより作業異常と判断して前記回転駆動部による正回転駆動を停止することを特徴とする請求項１に記載のタッピング加工装置。
【請求項３】
前記制御手段は、
前記回転駆動部の逆回転駆動にて前記検出センサから出力されるオンとオフのオンオフ間隔を計測し、
該計測したオンオフ間隔と予め設定されている後退基準間隔とを比較し、
前記オンオフ間隔が前記後退基準間隔を超えることにより作業異常と判断して前記回転駆動部による逆回転駆動を停止することを特徴とする請求項１又は２に記載のタッピング加工装置。
【請求項４】
前記制御手段は、
前記検出センサから出力される一対のオンとオフを１パルスとして、前記回転駆動部の正回転駆動開始から前記パルスのカウントを開始し、
該カウントした前記パルスの検出パルス数と、前記スピンドル軸が後退端から前進端まで前進する間に前記検出子の突起部が前記検出センサに接近する回数に基づいて設定された前進基準パルス数とを比較し、
前記スピンドル軸が後退端から前進して前進端に到達するよりも前に前記検出パルス数が前記前進基準パルス数を超えることにより前記検出センサのセンサ異常と判断することを特徴とする請求項１〜３のいずれか１項に記載のタッピング加工装置。
【請求項５】
前記制御手段は、
前記検出センサから出力される一対のオンとオフを１パルスとして、前記回転駆動部の逆回転駆動開始から前記パルスのカウントを開始し、
該カウントした前記パルスの検出パルス数と、前記スピンドル軸が前進端から後退端まで後退する間に前記検出子の突起部が前記検出センサに接近する回数に基づいて設定された後退基準パルス数とを比較し、
前記スピンドル軸が前進端から後退して後退端に到達するよりも前に前記検出パルス数が前記後退基準パルス数を超えることにより前記検出センサのセンサ異常と判断することを特徴とする請求項１〜４のいずれか１項に記載のタッピング加工装置。
【請求項６】
前記制御手段は、
前記検出センサから出力される一対のオンとオフを１パルスとして、前記回転駆動部の正回転駆動により前記スピンドル軸が前進端に到達してから前記スピンドル軸の前進が停止するまでカウントした前記パルスの検出パルス数と予め設定されている行き過ぎ許容値とを比較し、
前記検出パルス数が前記行き過ぎ許容値を超えることにより前記回転駆動部のブレーキ異常と判断することを特徴とする請求項１〜５のいずれか１項に記載のタッピング加工装置。
【請求項７】
前記制御手段は、
前記検出センサから出力される一対のオンとオフを１パルスとして、前記回転駆動部の逆回転駆動により前記スピンドル軸が後退端に到達してから前記スピンドル軸の前進が停止するまでカウントした前記パルスの検出パルス数と予め設定されている戻り過ぎ許容値とを比較し、
前記検出パルス数が前記戻り過ぎ許容値を超えることにより前記回転駆動部のブレーキ異常と判断することを特徴とする請求項１〜６のいずれか１項に記載のタッピング加工装置。
【発明の詳細な説明】
【技術分野】
【０００１】
本発明は、タップを回転させながら軸方向に送り移動させることによってワークに雌ねじ立てを行うタッピング加工装置に関する。
【背景技術】
【０００２】
タッピング加工装置は、スピンドル軸を正回転させながら前進させてスピンドル軸の先端に一体に回転可能に設けられているタップホルダをワークに接近させ、そのタップホルダに保持されたタップのねじ部をワークに予め穿設されているねじ下穴に挿入して、ねじ切りを行う。そして、前進端に到達すると、スピンドル軸を逆回転させながら後退させてタップホルダをワークから離間させ、タップのねじ部をねじ切り後のねじ下穴から抜き出して、ワークにねじ穴を完成させる構成を有している。
【０００３】
タッピング加工装置は、例えばねじ下穴がまったく形成されていない、或いはねじ下穴が完全に形成されていない等のワークの不具合があると、ねじ切りができず、タッピング加工中にタップに過度の回転トルクが作用してタップのねじ部を折損したり、スラスト方向に過度の負荷が作用してタップのシャンク部を破損するおそれがある。
【０００４】
そこで、タップホルダをスピンドル軸に対してスラスト方向に相対移動可能に支持し、タッピング加工中にタップホルダがスピンドル軸に対して相対的に移動して予め設定されている基準移動量を超えたときに作業異常と判断するタッピング加工装置が従来より提案されて実用化されている。
【０００５】
尚、タッピング加工中にタップに過負荷が作用するとスラスト方向に移動する摺動子を備え、その摺動子の移動によってタップへの過負荷を検出するタップホルダが提案されている（例えば、特許文献１参照）。
【０００６】
【特許文献１】特開平８−１０８３１７号公報
【発明の開示】
【発明が解決しようとする課題】
【０００７】
しかしながら、上記従来のタッピング加工装置によれば、スピンドル軸に対するタップホルダのスラスト方向への移動に基づいて作業異常の判断を行っているので、例えばセンサ等の故障によりタップホルダの移動を検出できなかった場合には、作業異常を判断できず、スピンドル軸の正回転前進がそのまま続行されてタップのねじ部の折損やシャンク部の破損を招くおそれがある。
【０００８】
また、上記タップホルダのスラスト方向への移動を検出するセンサでは、スピンドル軸が実際に回転しているか否かを検出することはできない。したがって、例えば過負荷によってスピンドル軸の回転速度が遅くなったり、タップの噛み込み等によってスピンドル軸の回転が停止してワークにタッピング加工が適切に行われていない場合であっても、作業異常を判断できず、作業が正常に行われたものと判断してワークを下流の工程に搬送するおそれもある。
【０００９】
また、上記タップホルダの移動を検出するセンサでは、スピンドル軸の前進方向及び後退方向の移動量を把握できない。したがって、例えば回転駆動部のブレーキ故障によってスピンドル軸を前進端に停止させることができずに行き過ぎてしまった場合には、作業異常を判断できず、ねじ下穴の底部への追突等によりタップの折損等を招くおそれがある。
【００１０】
本発明は、上記問題の少なくとも一つを解決すべくなされたものであり、その目的は、簡単な構成によりタッピング加工中における作業異常を検出できるタッピング加工装置を提供することにある。
【課題を解決するための手段】
【００１１】
上記課題を解決する請求項１に記載の発明によるタッピング加工装置は、ベース部と、ベース部に回転自在に支持された回転軸と、回転軸を正回転及び逆回転させる回転駆動部と、回転軸と一体に回転可能でかつ回転軸の軸方向に移動自在に連結されたスピンドル軸と、スピンドル軸をベース部に回転可能に支持すると共に正回転及び逆回転に応じた送りピッチで前進及び後退させる送り移動部と、スピンドル軸と一体に回転しかつスピンドル軸に対して軸方向に移動自在に連結されてスピンドル軸の前端部よりも前進側位置で軸方向に伸長及び収縮可能に設けられ同軸上に送り移動部と同一の送りピッチを有するタップを保持可能なタップホルダと、スピンドル軸とタップホルダとの間に介在されてタップホルダを伸長する方向に付勢する付勢手段と、タップホルダに設けられて、タップホルダの径方向外側に向かって突出する突出部及びタップホルダの径方向内側に向かって凹陥する凹陥部をタップホルダの回転方向に沿って交互に形成する検出子と、ベース部にスピンドル軸と同期して前進及び後退可能に支持され、タップホルダが伸長した状態で検出子よりもタップホルダの径方向外側位置で検出子に対向する位置に配置され、突出部との接近によりオンを出力し突出部との離間によりオフを出力する検出センサと、検出センサの出力に基づいて回転駆動部を制御する制御手段とを有することを特徴とする。
【００１２】
請求項２に記載の発明は、請求項１に記載のタッピング加工装置において、制御手段は、回転駆動部の正回転駆動にて検出センサから出力されるオンとオフのオンオフ間隔を計測し、その計測したオンオフ間隔と予め設定されている前進基準間隔とを比較し、オンオフ間隔が前進基準間隔を超えることにより作業異常と判断して回転駆動部による正回転駆動を停止することを特徴とする。
【００１３】
請求項３に記載の発明は、請求項１又は２に記載のタッピング加工装置おいて、制御手段は、回転駆動部の逆回転駆動にて検出センサから出力されるオンとオフのオンオフ間隔を計測し、計測したオンオフ間隔と予め設定されている後退基準間隔とを比較し、オンオフ間隔が後退基準間隔を超えることにより作業異常と判断して回転駆動部による逆回転駆動を停止することを特徴とする。
【００１４】
請求項４に記載の発明は、請求項１〜３のいずれか１項に記載のタッピング加工装置において、制御手段は、検出センサから出力される一対のオンとオフを１パルスとして、回転駆動部の正回転駆動開始からパルスのカウントを開始し、カウントしたパルスの検出パルス数と、スピンドル軸が後退端から前進端まで前進する間に検出子の突起部が検出センサに接近する回数に基づいて設定された前進基準パルス数とを比較し、スピンドル軸が後退端から前進して前進端に到達するよりも前に検出パルス数が前進基準パルス数を超えることにより検出センサのセンサ異常と判断することを特徴とする。
【００１５】
請求項５に記載の発明は、請求項１〜４のいずれか１項に記載のタッピング加工装置において、制御手段は、検出センサから出力される一対のオンとオフを１パルスとして、回転駆動部の逆回転駆動開始からパルスのカウントを開始し、カウントしたパルスの検出パルス数と、スピンドル軸が前進端から後退端まで後退する間に検出子の突起部が検出センサに接近する回数に基づいて設定された後退基準パルス数とを比較し、スピンドル軸が前進端から後退して後退端に到達するよりも前に検出パルス数が後退基準パルス数を超えることにより検出センサのセンサ異常と判断することを特徴とする。
【００１６】
請求項６に記載の発明は、請求項１〜５のいずれか１項に記載のタッピング加工装置において、制御手段は、検出センサから出力される一対のオンとオフを１パルスとして、回転駆動部の正回転駆動によりスピンドル軸が前進端に到達してからスピンドル軸の前進が停止するまでカウントしたパルスの検出パルス数と予め設定されている行き過ぎ許容値とを比較し、検出パルス数が行き過ぎ許容値を超えることにより回転駆動部のブレーキ異常と判断することを特徴とする。
【００１７】
請求項７に記載の発明は、請求項１〜６のいずれか１項に記載のタッピング加工装置において、制御手段は、検出センサから出力される一対のオンとオフを１パルスとして、回転駆動部の逆回転駆動によりスピンドル軸が後退端に到達してからスピンドル軸の前進が停止するまでカウントしたパルスの検出パルス数と予め設定されている戻り過ぎ許容値とを比較し、検出パルス数が戻り過ぎ許容値を超えることにより回転駆動部のブレーキ異常と判断することを特徴とする。
【発明の効果】
【００１８】
請求項１に記載の発明によれば、回転駆動部により回転軸を正回転させることにより、スピンドル軸を正回転させながらタップと同一の送りピッチで前進させて、タップホルダをスピンドル軸と共に正回転させながら前進させることができ、また、回転駆動部により回転軸を逆回転させることにより、スピンドル軸を逆回転させながらタップと同一の送りピッチで後退させて、タップホルダをスピンドル軸と共に逆回転させながら後退させることができる。したがって、タップホルダに保持されたタップをワークのねじ下穴に挿入し、ねじ下穴内で正回転させながら前進させ、逆回転させながら後退させることができ、ワークに雌ねじ立てを行うことができる。
【００１９】
ワークのねじ下穴へのねじ切りが適切に行われている場合には、タップホルダは伸長した状態でスピンドル軸と同期して前進及び後退する。そして、かかる伸長した状態では、検出センサが検出子よりもタップホルダの径方向外側位置で検出子に対向する位置に配置されているので、タップホルダの回転に応じて検出子の突出部が検出センサに接近及び離間を繰り返し、検出センサからは所定間隔ごとに交互にオンとオフが出力される。
【００２０】
これに対し、検出センサの故障等の理由によって検出子の突出部を検出することができないときには、検出センサの出力はオフに維持される。
【００２１】
また、タップがワークのねじ下穴に噛み込む等の理由によってタップホルダの回転が停止すると、検出子の突出部が検出センサに接近した状態か離間した状態のいずれかに保たれ、検出センサの出力はオンかオフのいずれか一方に維持される。
【００２２】
更に、ワークにねじ下穴が形成されていない等の理由によってタップの前進が妨げられると、タップにスラスト方向の荷重が作用し、タップホルダは付勢手段の付勢力に抗してスピンドル軸に対して収縮する方向に移動し、検出子と検出センサとの位置が軸方向にずれて互いの対向が解除され、検出子の突出部は検出センサから離間し、検出センサの出力はオフに維持される。
【００２３】
したがって、制御手段は、検出センサの出力が所定間隔ごとに交互にオンとオフとなるときには、タップホルダがスピンドル軸に対して伸長した状態で回転しており、ワークに適切にねじ切りが行われているとして、作業正常と判断することができる。そして、検出センサの出力がオンとオフのいずれか一方に維持されているときは、作業異常と判断することができる。
【００２４】
制御手段は、作業異常と判断すると回転駆動部を制御して回転軸の正回転又は逆回転を停止することができる。したがって、タップのねじ部の折損やシャンク部の破損等を防止できる。
【００２５】
請求項２に記載の発明によれば、制御手段は、回転駆動部の正回転駆動にて検出センサのオンオフ間隔を計測し、そのオンオフ間隔と前進基準間隔とを比較し、オンオフ間隔が前進基準間隔を超えるときは作業異常と判断して回転駆動部による正回転駆動を停止する。
【００２６】
したがって、例えばねじ下穴の穴径が基準よりも小さい等の理由によってタップに過負荷が作用し、タップホルダの正回転速度が通常よりも低下してオンオフ間隔が前進基準間隔を超えている場合に作業異常と判断して回転駆動部の回転駆動を停止できる。
【００２７】
また、回転駆動部の正回転駆動時にタップホルダの正回転が停止して検出センサの出力がオンとオフのいずれか一方に維持されている、或いはタップホルダがスピンドル軸に対して収縮して検出センサの出力がオフに維持されているときには、オンオフ間隔が前進基準間隔を超えることとなり、作業異常と判断して、回転駆動部の正回転駆動を停止できる。したがって、タップへの過負荷の作用を防ぎ、タップのねじ部の折損やシャンク部の破損等を防止できる。
【００２８】
請求項３に記載の発明によれば、制御手段は、回転駆動部の逆回転駆動にて検出センサのオンオフ間隔を計測し、そのオンオフ間隔と後退基準間隔とを比較し、オンオフ間隔が後退基準間隔を超えるときは作業異常と判断して回転駆動部による逆回転駆動を停止する。
【００２９】
したがって、例えばねじ下穴から抜き出すときにタップに過負荷が作用し、タップホルダの逆回転速度が通常よりも低下してオンオフ間隔が後退基準間隔を超えている場合に作業異常と判断して回転駆動部の逆回転駆動を停止できる。
【００３０】
また、回転駆動部の逆回転駆動時にタップホルダの逆回転が停止して検出センサの出力がオンとオフのいずれか一方に維持されているときには、オンオフ間隔が後退基準間隔を超えることとなり、作業異常と判断して、回転駆動部の逆回転駆動を停止できる。したがって、タップへの過負荷の作用を防ぎ、タップのねじ部の折損やシャンク部の破損等を防止できる。
【００３１】
請求項４の発明によると、制御手段は、検出センサから出力される一対のオンとオフとを１パルスとして、回転駆動部の正回転駆動開始からパルスのカウントを開始する。そして、カウントしたパルスの検出パルス数と基準パルス数とを比較する。前進基準パルス数は、スピンドル軸が後退端から前進端まで移動する間に検出子の突出部が検出センサに接近する回数に基づいて予め設定されている。そして、スピンドル軸が前進端に到達するよりも前に検出パルス数が基準パルス数を超えることにより検出センサのセンサ異常と判断する。
【００３２】
スピンドル軸が後退端から前進端まで前進すると、検出パルス数はタップホルダの回転に応じて検出子の突出部が検出センサに接近する回数と同一となる。
【００３３】
したがって、例えばタップホルダの回転に応じて検出子の突出部が検出センサに接近する回数に誤差を含めた値を前進基準パルス数として設定することにより、スピンドル軸が後退端から前進して前進端に到達したときの検出パルス数が前進基準パルス数と同一であるときは検出センサが正常であり、スピンドル軸が後退端から前進して前進端に到達するよりも前に検出パルス数が前進基準パルス数を超えているときは検出センサが異常であると判断できる。
【００３４】
請求項５の発明によると、制御手段は、検出センサから出力される一対のオンとオフとを１パルスとして、回転駆動部の逆回転駆動開始からパルスのカウントを開始する。そして、カウントしたパルスの検出パルス数と後退基準パルス数とを比較する。後退基準パルス数は、タップホルダが伸長した状態でスピンドル軸が前進端から後退端まで移動する間に検出子の突出部が検出センサに接近する回数に基づいて予め設定されている。そして、スピンドル軸が後退端に到達するよりも前に検出パルス数が基準パルス数を超えることにより検出センサのセンサ異常と判断する。
【００３５】
スピンドル軸が前進端から後退端まで前進すると、検出パルス数はタップホルダの回転に応じて検出子の突出部が検出センサに接近する回数と同一となる。
【００３６】
したがって、例えばタップホルダの回転に応じて検出子の突出部が検出センサに接近する回数に誤差を含めた値を後退基準パルス数として設定することにより、スピンドル軸が前進端から後退して後退端に到達したときの検出パルス数が後退基準パルス数と同一であるときは検出センサが検出子の突出部を正確に検出しており、センサ正常と判断できる。
【００３７】
また、スピンドル軸が前進端から後退して後退端に到達するよりも前に検出パルス数が後退基準パルス数を超えているときは検出センサが検出子の突出部を正確に検出しておらず、センサ異常と判断できる。
【００３８】
請求項６に記載の発明によると、制御手段は、検出センサから出力される一対のオンとオフを１パルスとして、回転駆動部の正回転駆動によりスピンドル軸が前進端に到達してからスピンドル軸の前進が停止するまでカウントしたパルスの検出パルス数と予め設定されている行き過ぎ許容値とを比較し、検出パルス数が行き過ぎ許容値を超えている場合には回転駆動部のブレーキ異常と判断する。
【００３９】
これにより、スピンドル軸が予め許容されている移動量を超えて前進側に行き過ぎてしまったか否かを判断し、回転駆動部のブレーキが正常に作動しているか否かを判定することができる。
【００４０】
請求項７に記載の発明によると、制御手段は、検出センサから出力される一対のオンとオフを１パルスとして、回転駆動部の逆回転駆動によりスピンドル軸が後退端に到達してからスピンドル軸の後退が停止するまでカウントしたパルスの検出パルス数と予め設定されている戻り過ぎ許容値とを比較し、検出パルス数が戻り過ぎ許容値を超えている場合には回転駆動部のブレーキ異常と判断する。
【００４１】
これにより、スピンドル軸が予め許容されている移動量を超えて後退側に戻り過ぎてしまったか否かを判断し、回転駆動部のブレーキが正常に作動しているか否かを判定することができる。
【発明を実施するための最良の形態】
【００４２】
次に、本発明の実施の形態について図に基づいて説明する。
【００４３】
図１は、本実施の形態に係わるタッピング加工装置１の構成を説明する全体図、図２は、図１のＸ−Ｘ線断面図である。
【００４４】
タッピング加工装置１は、図１に示すように、回転軸１１、モータ（回転駆動部）１２、スピンドル軸２０、ねじ送り機構（送り移動部）３０、タップホルダ４０、制御手段５０を有している。
【００４５】
図１で符号２は、ベース部である。ベース部２は、略平板形状を有しており、床面上に設置されるタッピング加工装置１の基台（いずれも図示せず）に取り付けられて、ワークＷの上方位置で上下方向に延在するように設けられている。
【００４６】
ベース部２のほぼ中央位置には、回転軸１１が上下方向に延在して回転自在に支持されており、回転軸１１の側方位置には、モータ１２が取り付けられている。
【００４７】
モータ１２は、例えばステップモータやサーボモータ等の回転停止位置制御が可能なモータであり、制御手段５０からの制御指令に応じて予め設定された回転角度だけモータ軸１２ａを回転させ、ブレーキの作動により所定の回転角度位置にモータ軸１２ａの回転を停止させることができるように構成されている。
【００４８】
モータ１２のモータ軸１２ａと回転軸１１とは、動力伝達手段であるベルトプーリ１３によって連結されており、モータ１２の回転を伝達して回転軸１１を回転させることができるようになっている。
【００４９】
ベルトプーリ１３は、駆動側プーリ１４がモータ１２のモータ軸１２ａに取り付けられ、従動側プーリ１５が回転軸１１の上端部に取り付けられており、ベルト１６が駆動側プーリ１４と従動側プーリ１５との間に掛け渡されて連結している。
【００５０】
スピンドル軸２０は、回転軸１１の下方に連続して同軸上に延在する円柱形状を有している。スピンドル軸２０の上部に位置する後端部２１には、端面から中心軸方向にスプライン穴（図示せず）が穿設されており、回転軸１１の下端部とスプライン嵌合して回転軸１１と一体に回転可能でかつ回転軸１１に対して軸方向に沿って上下方向に移動自在に連結されている。
【００５１】
そして、スピンドル軸２０の後端部２１の外周面には、送り移動部であるねじ送り機構３０のねじ軸部３１が形成されている。ねじ送り機構３０は、スピンドル軸２０の後端部２１の外周面に形成されたねじ軸部３１と、ベース部２に取り付けられたねじ軸受３２を備えている。ねじ軸部３１とねじ軸受部３２は、互いにタップＴと同一のピッチを有して螺合しており、スピンドル軸２０をベース部２に回転可能に支持すると共に、正回転及び逆回転によりタップＴと同一の送りピッチでスピンドル軸２０を前進及び後退させることができるように構成されている。
【００５２】
スピンドル軸２０の前端部２２は、ベース部２よりも下方に向かって延出する円筒形状を有しており、その内径穴２３内には下方側からタップホルダ４０の後端部４１が挿入されてタップホルダ４０を同軸上に支持している。
【００５３】
タップホルダ４０は、スピンドル軸２０の下方に連続して同軸上に延在する円柱形状を有している。タップホルダ４０の上部に位置する後端部４１には、スプラインが形成されており、スピンドル軸２０の内径穴２３内に挿入されて、スピンドル軸２０とスプライン嵌合している。そして、スピンドル軸２０に一体に回転可能でかつスピンドル軸２０の軸方向に移動自在に連結されてスピンドル軸２０の前端部２２よりも下方位置で軸方向に伸長及び収縮可能に設けられている。
【００５４】
タップホルダ４０の前端部４２には、タップＴを着脱自在に同軸上に保持するチャック４３が備えられている。チャック４３は、タップホルダ４０の径方向に沿って回転中心に向かって接近及び離間する複数の爪部（図示せず）を備えており、タップＴのシャンク部Ｔ１をチャッキングしてタップＴのねじ部Ｔ２が下方に向かって突出し、タップＴがタップホルダ４０と同軸上に延在するように着脱自在に保持する構成を有している。
【００５５】
スピンドル軸２０とタップホルダ４０との間には、スピンドル軸２０に対してタップホルダ４０を伸長する方向に向かって付勢する付勢手段であるコイルスプリング２４が設けられている。コイルスプリング２４は、スピンドル軸２０の内径穴２３内に収容されており、タップホルダ４０の後端部４１を下方に向かって押圧している。
【００５６】
上記構成を有するタッピング加工装置１には、本発明の特徴的な構成要素である検出子５１と検出センサ５４が設けられている。
【００５７】
検出子５１は、図１に示すように、タップホルダ４０の後端部４１と前端部４２との間の位置にタップホルダと同軸上に固定されており、図２に示すように、タップホルダ４０の軸方向に所定の厚みを有する円盤形状を基本形状とし、回転方向に沿って所定間隔を有して切り欠くことにより、タップホルダ４０の径方向外側に向かって突出する突出部５２とタップホルダ４０の径方向内側に向かって凹陥する凹陥部５３とをタップホルダ４０の回転方向に沿って交互に形成するように構成されている。本実施の形態では、凹陥部５３が一定の曲率半径を有して径方向内側に向かって凹陥する円弧形状を有しており、４つの突出部５２と凹陥部５３とが回転方向に交互に形成されている。
【００５８】
検出センサ５４は、センサブラケット５５に取り付けられている。センサブラケット５５は、ベアリングなどの回転支持部材（図示せず）を介在させてスピンドル軸２０の前端部２２に外嵌されており、スピンドル軸２０に回転自在に支持されている。
【００５９】
センサブラケット５５には、スピンドル軸２０の径方向外側に向かって突出するように腕部が設けられており、その腕部にはスピンドル軸２０の軸方向に沿って平行に延在するように貫通孔５６が貫通形成されている。
【００６０】
そして、そのセンサブラケット５５の貫通孔５６には、上下方向に延在して上端がベース部２に固定された棒状のシャフト３が挿通されており、スピンドル軸２０が前進及び後退する間に亘ってセンサブラケット５５がスピンドル軸２０と供回りするのを防ぐ回り止めを構成している。したがって、センサブラケット５５とそのセンサブラケット５５に取り付けられた検出センサ５４は、スピンドル軸２０と同期して前進及び後退可能にベース部２に支持されている。
【００６１】
検出センサ５４は、センサブラケット５５に支持されて、タップホルダ４０が伸長した状態で検出子５１よりもタップホルダ４０の径方向外側位置で検出子５１と対向しかつタップホルダ４０の回転に応じて検出子５１の突出部５２と接近及び離間を繰り返す位置に配置されている。
【００６２】
そして、検出子５１の突出部５２との接近によりオンを出力し、突出部５２との離間によりオフを出力するように設定されている。
【００６３】
これにより、検出センサ５４は、例えばタップホルダ４０が伸長した状態で回転して検出子５１の突出部５２と対向する（図２を参照）ことによってオンを出力し、凹陥部５３と対向することによってオフを出力する。また、タップホルダ４０の収縮により検出子５１の位置が軸方向にずれて検出子５１との対向が解除されて突出部５２と離間することによってオフを出力する。尚、本実施の形態では、検出子５１が予め設定された近傍領域内に存在することによりオンを出力する近接センサが検出センサ５４に用いられている。
【００６４】
図中で符号５８は、スピンドル軸２０の前進端を検出する前進端検出手段、符号５９は、スピンドル軸２０の後退端を検出する後退端検出手段である。前進端検出手段５８と後退端検出手段５９は、例えば近接スイッチやリミットスイッチ等により構成されており、ベース部２から下方に向かって延出するステー４にそれぞれ取り付けられている。そして、前進端検出手段５８は、スピンドル軸２０が前進端に位置するときにオンを出力し、スピンドル軸２０が前進端以外の位置に位置するときにオフを出力するように設定されている。また、後退端検出手段５９は、スピンドル軸２０が後退端に位置するときにオンを出力し、スピンドル軸２０が後退端以外の位置に位置するときにオフを出力するように設定されている。
【００６５】
制御手段５０は、シーケンスプログラムコンピュータを備えており、タッピング加工制御を行うための制御プログラムが実行可能に格納されている。そして、検出センサ５４、前進端検出手段５８、後退端検出手段５９、モータ１２等と接続されており、検出センサ５４等からの検出信号等に基づいてモータ１２を回転駆動させてタッピング加工制御を行う。
【００６６】
次に、上記構成を有するタッピング加工装置１によるタッピング加工方法について図３〜図５を用いて以下に説明する。図３は、タッピング加工装置１によるタッピング加工方法を説明するフローチャート、図４は、適切なねじ下穴Ｗ１が形成されているワークＷに対するタッピング加工装置１の動作を説明する図、図５は、ねじ下穴Ｗ１が形成されていないワークＷに対するタッピング加工装置１の動作を説明する図である。
【００６７】
制御手段５０は、図４（ａ）及び図５（ａ）に示すように、タッピング加工装置１に対して予め設定されたワーク固定位置にワークＷが位置決め固定されると、モータ１２の正回転駆動を開始し、予め設定された回転速度で回転軸１１が正回転する方向にモータ軸１２ａを回転させる（ステップＳ１）。モータ軸１２ａの回転は、ベルトプーリ１３を介して回転軸１１に伝達され、回転軸１１を正回転させる。この回転軸１１の正回転によりスピンドル軸２０は正回転しながらねじ送り機構３０によってタップＴと同一の送りピッチで前進し、タップホルダ４０を正回転させながらワークＷに接近させる。
【００６８】
タップホルダ４０は、スピンドル軸２０と共に正回転しながら前進し、タップＴをねじ切り方向に回転させながらワークＷに接近させる。そして、図４（ａ）〜図４（ｃ）に示すように、タップホルダ４０が伸長した状態で、タップＴのねじ部Ｔ２がワークＷのねじ下穴Ｗ１に挿入されてねじ切りが開始される。
【００６９】
かかる場合、検出子５１は、タップホルダ４０の回転に応じて突出部５２が検出センサ５４に接近及び離間を繰り返し、検出センサ５４からオンとオフが所定間隔をおいて交互に出力される。
【００７０】
制御手段５０は、モータ１２の正回転駆動により検出センサ５４から出力されるオンとオフの時間間隔であるオンオフ間隔Ｔａに基づいて、タッピング加工作業の作業異常の判定を行う（ステップＳ２）。
【００７１】
ここでは、オンオフ間隔Ｔａと予め制御手段５０内に記憶されている前進基準間隔Ｔｆとが比較され、オンオフ間隔Ｔａが前進基準間隔Ｔｆ以下のときは（ステップＳ２でＮｏ）、作業正常と判断してモータ１２の正回転駆動を続行する。そして、オンオフ間隔Ｔａが前進基準間隔Ｔｆを超えるときは（ステップＳ２でＹｅｓ）、作業異常と判断してモータ１２の正回転駆動を停止する（ステップＳ３）。
【００７２】
例えばタップＴのねじ部Ｔ２がねじ下穴Ｗ１に噛み込んでタップホルダ４０の回転が停止している場合や、ねじ下穴Ｗ１の穴径が基準よりも小さい等によりタップＴに過負荷が作用してタップホルダ４０の回転速度が低下している場合には、オンオフ間隔Ｔａが前進基準間隔Ｔｆを超えるものとなる。
【００７３】
また、図５に示すように、ワークＷにねじ下穴Ｗ１が形成されていない場合には、タップホルダ４０の前進が妨げられてタップＴのねじ部Ｔ２がワークＷに押接される（図５（ｂ）を参照）。したがって、タップＴにスラスト荷重が作用し、タップホルダ４０は、コイルスプリング２４の付勢力に抗してスピンドル軸２０に対して軸方向に収縮する方向に相対移動する。そして、検出子５１はタップホルダ４０と共に移動し、検出センサ５４との位置が軸方向にずれて（図５（ｃ）を参照）、検出センサ５４の近傍領域内から近傍領域外に移動する。よって、検出センサ５４からオンとオフが交互に出力されず、オフを出力した状態が維持されて、オンオフ間隔Ｔａは前進基準間隔Ｔｆを超えるものとなる。
【００７４】
更に、検出センサ５４が故障して突出部５２の接近と離間を検出できない場合には、検出センサ５４の出力はオンとオフを交互に繰り返さず、オンかオフのいずれか一方を出力した状態が維持されて、オンオフ間隔Ｔａは前進基準間隔Ｔｆを超えるものとなる。
【００７５】
したがって、かかる場合には作業異常と判断してモータ１２の正回転駆動を迅速に停止させることができ、タップＴに過負荷が作用するのを防ぎ、タップＴのねじ部Ｔ２の折損やシャンク部Ｔ２の破損を未然に防ぐことができる。
【００７６】
また、制御手段５０は、モータ１２の正回転駆動時に検出センサ５４が正常に作動しているか否かの判定を行う。ここでは、検出センサ５４から出力される一対のオンとオフとを１パルスとして、モータ１２の正回転駆動開始からパルスのカウントを開始し、そのカウントしたパルスの検出パルス数Ｐａと予め制御手段５０内に記憶されている前進基準パルス数Ｎａとを比較する。前進基準パルス数Ｎａは、スピンドル軸２０が後退端から前進端まで前進する間に、検出子５１の突出部５２が検出センサ５４に接近する回数に基づいて設定されており、本実施の形態では、突出部５２が検出センサ５４に接近する回数に誤差を含めた値が設定されている。
【００７７】
検出パルス数Ｐａと前進基準パルス数Ｎａとの比較は、検出センサ５４がパルスをカウントするごとに行われる（ステップＳ４）。そして、検出パルス数Ｐａと前進基準パルス数Ｎａとの比較の結果、検出パルス数Ｐａが前進基準パルス数Ｎａ以下である場合には（ステップＳ４でＮｏ）、前進端検出手段５８がオンするか（ステップＳ６でＹｅｓ）、或いは検出パルス数Ｐａが前進基準パルス数Ｎａを超えるまで（ステップＳ４でＹｅｓ）、モータ１２の正回転駆動を続行させる。
【００７８】
そして、前進端検出手段５８がオンを検出する前、すなわちスピンドル軸２０が前進端に到達するよりも前に検出パルス数Ｐａが前進基準パルス数Ｎａを超えた場合には（ステップＳ４でＹｅｓ）、検出センサ５４が異常であると判断し、モータ１２の回転駆動を停止させる（ステップＳ５）。これにより、検出センサ５４の不具合に起因したワークへのタッピング加工不良を未然に防ぐことができる。
【００７９】
そして、制御手段５０は、前進端検出手段５８がオンすると（ステップＳ６でＹｅｓ）、モータ１２の正回転駆動を停止し（ステップＳ７）、モータ１２のブレーキが正常に作動しているか否かの判定を行う（ステップＳ８）。これにより、スピンドル軸２０が前進端を通過して停止した行き過ぎ移動量を検出し、その行き過ぎ移動量の大小によりブレーキ異常か否かを判定する。
【００８０】
制御手段５０は、検出センサ５４から出力される一対のオンとオフを１パルスとして、モータ１２の正回転駆動によりスピンドル軸２０が前進端に到達して前進端検出手段５８がオンすることによってパルスのカウントを開始する。
【００８１】
そして、スピンドル軸２０の前進が停止するまでにカウントした検出パルス数Ｐｂと予め制御手段５０内に記憶されている行き過ぎ許容値Ｎｂとを比較し、検出パルス数Ｐｂが行き過ぎ許容値Ｎｂを超えている場合には（ステップＳ８でＹｅｓ）、モータ１２のブレーキ異常と判断して（ステップＳ９）、タッピング加工作業の中止や、エラーメッセージの発信、警告灯の点灯などを行う。
【００８２】
検出パルス数Ｐｂが行き過ぎ許容値Ｎｂ以下である場合には（ステップＳ８でＮｏ）、モータ１２のブレーキは正常に作動していると判断し、モータ１２の逆回転駆動を開始し、回転軸１１を予め設定された回転速度で逆回転させる（ステップＳ１０）。
【００８３】
モータ１２の逆回転駆動により、回転軸１１は逆回転され、スピンドル軸２０は、ねじ送り機構３０によってタップＴと同一の送りピッチで後退し、タップホルダ４０を逆回転させながらワークＷから離間させる。タップＴは、タップホルダ４０と共に逆回転しながら後退し、ねじ部Ｔ２をねじ切り後のねじ下穴Ｗ１から抜き出す。
【００８４】
制御手段５０は、モータ１２の逆回転駆動により検出センサ５４から出力されるオンとオフの時間間隔であるオンオフ間隔Ｔｂに基づいて、タッピング加工作業の作業異常を判定する（ステップ１１）。
【００８５】
制御手段５０は、オンオフ間隔Ｔｂと予め制御手段５０内に記憶されている後退基準間隔Ｔｒとを比較し、オンオフ間隔Ｔｂが後退基準間隔Ｔｒ以下のときは（ステップＳ１１でＮｏ）、作業正常と判断してモータ１２の回転駆動を続行する。そして、オンオフ間隔Ｔｂが後退基準間隔Ｔｒを超えるときは（ステップＳ１１でＹｅｓ）、作業異常と判断してモータ１２の逆回転駆動を停止させる（ステップＳ１２）。
【００８６】
例えばタップＴをねじ切り後のねじ下穴Ｗ１から抜き出すときにねじ部Ｔ２がねじ下穴Ｗ１に噛み込んでタップホルダ４０の回転が停止した場合や、回転抵抗の増大によってタップホルダ４０の回転速度が低下した場合には、オンオフ間隔Ｔｂが後退基準間隔Ｔｂを超えるものとなる。
【００８７】
したがって、かかる場合には作業異常と判断することができ、モータ１２の逆回転駆動を迅速に停止させてタップＴに過負荷が作用するのを防ぎ、タップＴのねじ部Ｔ２の折損やシャンク部Ｔ２の破損を未然に防ぐことができる。
【００８８】
また、制御手段５０は、モータ１２の逆回転駆動時に検出センサ５４が正常に作動しているか否かの判定を行う。制御手段５０は、検出センサ５４から出力される一対のオンとオフとを１パルスとして、モータ１２の逆回転駆動開始からパルスのカウントを開始し、そのカウントしたパルスの検出パルス数Ｐｃと予め制御手段５０内に記憶されている後退基準パルス数Ｎｃとを比較する。後退基準パルス数Ｎｃは、スピンドル軸２０が前進端から後退端まで後退するまでに、検出子５１の突出部５２が検出センサ５４に接近する回数に基づいて設定されており、本実施の形態では、突出部５２が検出センサ５４に接近する回数に誤差を含めた値が設定されている。
【００８９】
検出パルス数Ｐｃと後退基準パルス数Ｎｃとの比較は、検出センサ５４がパルスをカウントするごとに行われる（ステップＳ１３）。そして、検出パルス数Ｐｃと後退基準パルス数Ｎｃとの比較の結果、検出パルス数Ｐｃが後退基準パルス数Ｎｃ以下である場合には（ステップＳ１３でＮｏ）、後退端検出手段５９がオンするか（ステップＳ１５でＹｅｓ）、或いは検出パルス数Ｐｃが後退基準パルス数Ｎｃを超えるまで（ステップＳ１３でＹｅｓ）、モータ１２の逆回転駆動を続行させる。
【００９０】
そして、後退端検出手段５９がオンを検出する前、すなわちスピンドル軸２０が後退端に到達するよりも前に検出パルス数Ｐｃが後退基準パルス数Ｎｃを超えた場合には（ステップＳ１３でＹｅｓ）、検出センサ５４が異常であると判断し、モータ１２の回転駆動を停止させる（ステップＳ１４）。これにより、検出センサ５４の不具合に起因したワークへのタッピング加工不良を未然に防ぐことができる。
【００９１】
そして、制御部５０は、後退端検出手段５９がオンすると（ステップＳ１５でＹｅｓ）、モータ１２の逆回転駆動を停止し（ステップＳ１４）、モータ１２のブレーキが正常に作動しているか否かの判定を行う（ステップＳ１７）。
【００９２】
制御手段５０は、スピンドル軸２０が後退端を通過して停止した戻り過ぎ移動量を検出し、その戻り過ぎ移動量の大小によりブレーキ異常か否かを判定する。制御手段５０は、検出センサ５４から出力される一対のオンとオフを１パルスとして、モータ１２の逆回転駆動によりスピンドル軸２０が後退端に到達して後退端検出手段５９がオンすることによってパルスのカウントを開始する。
【００９３】
そして、スピンドル軸２０の後退が停止するまでにカウントした検出パルス数Ｐｄと予め制御手段５０内に記憶されている戻り過ぎ許容値Ｎｄとを比較する。そして、検出パルス数Ｐｄが戻り過ぎ許容値Ｎｄを超えている場合には（ステップＳ１７でＹｅｓ）、モータ１２のブレーキ異常と判断して（ステップＳ１６）、タッピング加工作業の中止や、エラーメッセージの発信、警告灯の点灯などを行う。
【００９４】
そして、検出パルス数Ｐｄが戻り過ぎ許容値Ｎｄ以下である場合には（ステップＳ１７でＮｏ）、モータ１２のブレーキは正常に作動していると判断して、タッピング加工作業を終了する（終了）。これにより、ワークＷへの雌ねじ立てが終了し、ねじ穴が完成する。
【００９５】
上記構成を有するタッピング加工装置１によれば、作業正常の場合、タップホルダ４０は伸長した状態で正回転しながら前進し、逆回転しながら後退する。したがって、タップホルダ４０の回転に応じて検出子５１の突出部５２が検出センサ５４に接近及び離間を繰り返し、検出センサ５４は所定間隔ごとに交互にオンとオフを出力し、そのオンオフ間隔Ｔａ、Ｔｂは、前進基準間隔Ｔｆ、後退基準間隔Ｔｒよりも短くなる。
【００９６】
一方、タップＴがワークのねじ下穴に噛み込む等の理由によってタップホルダ４０の回転が停止すると、検出子５１の突出部５２が検出センサ５４に接近した状態か或いは離間した状態のいずれかに保たれ、検出センサ５４の出力はオンかオフのいずれかに維持される。
【００９７】
また、ワークＷにねじ下穴Ｗ１が形成されていない等の理由によってタップＴの前進が妨げられると、タップＴにスラスト方向の荷重が作用し、タップホルダ４０はコイルスプリング２４の付勢力に抗してスピンドル軸２０に対して収縮する方向に移動し、検出子５１と検出センサ５４との位置が軸方向にずれて、検出センサ５４の出力はオフに維持される。
【００９８】
更に、検出センサ５４の故障により突出部５２の接近と離間を検出することができないときは、検出センサ５４の出力はオンかオフのいずれかに維持される。これにより、オンオフ間隔Ｔａ、Ｔｂは、前進基準間隔Ｔｆ、後退基準間隔Ｔｒよりも長くなる。
【００９９】
したがって、制御手段５０は、検出センサ５４のオンオフ間隔Ｔａと前進基準間隔Ｔｆとを比較し、また、オンオフ間隔Ｔｂと後退基準間隔Ｔｒとを比較することによってタッピング加工作業の作業異常を判定することができる。
【０１００】
また、上記構成を有するタッピング加工装置１によれば、制御手段５０は、検出センサ５４から出力される一対のオンとオフとを１パルスとして、モータ１２の正回転駆動開始からパルスのカウントを開始し、そのカウントしたパルスの検出パルス数Ｐａと、スピンドル軸２０が後退端から前進端まで移動するまでに検出子５１の突出部５２が検出センサ５４に接近及び離間する回数として予め設定されている前進基準パルス数Ｎａとを比較する。そして、前進端検出手段５８がオンを検出する前、すなわちスピンドル軸２０が前進端に到達するよりも前に検出パルス数Ｐａが前進基準パルス数Ｎａを超えた場合には、検出センサ５４が異常であると判断することができる。
【０１０１】
同様に、制御手段５０は、検出センサ５４から出力される一対のオンとオフとを１パルスとして、モータ１２の逆回転駆動開始からパルスのカウントを開始し、そのカウントしたパルスの検出パルス数Ｐｃと、スピンドル軸２０が前進端から後退端まで移動するまでに検出子５１の突出部５２が検出センサ５４に接近及び離間する回数として予め設定されている後退基準パルス数Ｎｃとを比較する。そして、後退端検出手段５９がオンを検出する前、すなわちスピンドル軸２０が後退端に到達するよりも前に検出パルス数Ｐｃが後退基準パルス数Ｎｃを超えた場合には、検出センサ５４が異常であると判断することができる。
【０１０２】
したがって、制御手段５０は、検出パルス数Ｐａと前進基準パルス数Ｎａとを比較し、また、検出パルス数Ｐｄと基準パルス数Ｎｄとを比較することによって、検出センサ５４のセンサ異常を判定することができる。
【０１０３】
更に、上記構成を有するタッピング加工装置１によれば、制御手段５０は、検出センサ５４から出力される一対のオンとオフを１パルスとして、モータ１２の正回転駆動によりスピンドル軸２０が前進端に到達して前進端検出手段５８がオンすることによってパルスのカウントを開始する。そして、スピンドル軸２０の前進が停止するまでにカウントした検出パルス数Ｐｂと予め制御手段５０内に記憶されている行き過ぎ許容値Ｎｂとを比較し、検出パルス数Ｐｂが行き過ぎ許容値Ｎｂを超えている場合には、モータ１２のブレーキ異常と判断する。
【０１０４】
同様に、制御手段５０は、検出センサ５４から出力される一対のオンとオフを１パルスとして、モータ１２の逆回転駆動によりスピンドル軸２０が後退端に到達して後退端検出手段５９がオンすることによってパルスのカウントを開始する。そして、スピンドル軸２０の後退が停止するまでにカウントした検出パルス数Ｐｄと予め制御手段５０内に記憶されている戻り過ぎ許容値Ｎｄとを比較し、検出パルス数Ｐｄが戻り過ぎ許容値Ｎｂを超えている場合には、モータ１２のブレーキ異常と判断する。
【０１０５】
したがって、制御手段５０は、検出パルスＰｂと行き過ぎ許容値Ｎｂとを比較すること、また、検出パルスＰｄと戻り過ぎ許容値Ｎｄとを比較することによって、モータ１２のブレーキ異常を判定することができる。
【０１０６】
上記構成を有するタッピング加工装置１は、検出子５１と検出センサ５４という簡単な構成によって、タッピング加工作業の作業異常、検出センサ５４のセンサ異常、モータ１２のブレーキ異常を判定することができる。また、従来の装置に後付することができ、簡単に実施することができるものである。
【０１０７】
尚、本発明は、上述の実施の形態に限定されるものではなく、本発明の趣旨を逸脱しない範囲で種々の変更が可能である。例えば、上述の実施の形態では、検出センサ５４が近接スイッチである場合を例に説明したが、検出子５１の突出部５１と凹陥部５２に接触子を接触させてオンとオフを出力するリミットスイッチであってもよい。
【０１０８】
また、上述の実施の形態では、検出子５１が４つの突出部５２と４つの凹陥部５３とを連続して交互に形成する場合を例に説明したが、突出部５２と凹陥部５３の数は少なくとも１つずつあればよく、回転方向に沿って所定角度範囲に亘って延在する大きさも種々に設定できる。したがって、例えば円盤形状の一部分を一箇所だけ切り欠いてその切欠部を凹陥部とし、他の部分を突出部としてもよい。また、スピンドル軸２０から径方向外側に向かってボルトなどの棒状部材を突設し、棒状部材の先端部分を突出部とし、その周囲を凹陥部として形成してもよい。
【図面の簡単な説明】
【０１０９】
【図１】本実施の形態に係わるタッピング加工装置の構成を説明する全体図である。
【図２】図１のＸ−Ｘ線断面図である。
【図３】タッピング加工方法を説明するフローチャートである。
【図４】適切なねじ下穴が形成されているワークに対するタッピング加工装置の動作を説明する図である。
【図５】ねじ下穴が形成されていないワークに対するタッピング加工装置の動作を説明する図である。
【符号の説明】
【０１１０】
１    タッピング加工装置
１１  回転軸
１２  モータ（回転駆動部）
２０  ねじ送り機構（送り移動部）
２４  コイルスプリング（付勢手段）
３０  スピンドル軸
４０  タップホルダ
５０  制御手段
５１  検出子
５２  突出部
５３  凹陥部
５４  検出センサ
Ｗ    ワーク
Ｗ１  ねじ下穴
Ｔ    タップ
Ｔ１  シャンク部
Ｔ２  ねじ部
【図１】
2006315094.tif 000003
【図２】
2006315094.tif 000004
【図３】
2006315094.tif 000005
【図４】
2006315094.tif 000006
【図５】
2006315094.tif 000007